(57)【特許請求の範囲】
【請求項１】
治療器本体と、該治療器本体に配されてなる電位治療部及び低周波治療部とより少なくとも構成されてなる電気治療器において、
前記電位治療部及び低周波治療部を、一体のハウジングの裏表に配すると共に前記治療器本体に回転可能に軸支してなることを特徴とする電気治療器。
【請求項２】
請求項１に記載の電気治療器であって、
前記電位治療部及び低周波治療部の何れか一方を治療状態にすると、他方の治療状態を待機状態にさせることを特徴とする電気治療器。
【請求項３】
請求項１に記載の電気治療器であって、
前記電位治療部が電位治療状態にあっても、低周波治療指示が働くと、低周波治療待機状態に切り替わることを特徴とする電気治療器。
【発明の詳細な説明】
【０００１】
【発明の属する技術分野】
この発明は、電位治療及び低周波治療を可能にした電気治療器に関するものである。
【０００２】
【従来の技術】
通電シートにより全身の治療を行う電位治療器も、パッド導子や局所導子などを用いて行う低周波治療器も、共にコードを延ばしてジャックで治療器本体に接続している。
【０００３】
【発明が解決しようとする課題】
しかしながら、このような従来の技術にあっては、コードが乱雑になりやすく収納性が良くないという課題がある。また、電位治療における電圧降下により目的性能が劣化するおそれがある。更に、コードの接続部自体の劣化も生じる。
【０００４】
そこで、この発明は、このような従来の技術に着目してなされたものであり、コードを可級的に短くできることにより電圧降下のない電気治療器を提供するものである。
【０００５】
【課題を解決するための手段】
請求項１記載の発明は、治療器本体と、該治療器本体に配されてなる電位治療部及び低周波治療部とより少なくとも構成されてなる電気治療器において、前記電位治療部及び低周波治療部を、一体のハウジングの裏表に配すると共に前記治療器本体に回転可能に軸支してなる。
【０００６】
請求項１記載の発明によれば、一体のハウジングの裏表に電位治療部及び低周波治療部を配したので、コードがほとんど無い状態になり、治療部周りの整理整頓ができ、電圧降下が無く、様々な劣化が生じないことになる。
【０００７】
請求項２記載の発明は、請求項１に記載の電気治療器であって、前記電位治療部及び低周波治療部の何れか一方を治療状態にすると、他方の治療状態を待機状態にさせる。
【０００８】
請求項２記載の発明によれば、電位治療中に、誤って低周波治療のスイッチを稼働させても電位治療状態は維持される。また、低周波治療中に、誤って電位治療のスイッチを稼働させても低周波治療状態は維持される。このため、治療時における操作の誤りによる治療の急変化が生じないことになる。
【０００９】
請求項３記載の発明は、請求項１に記載の電気治療器であって、前記電位治療部が電位治療状態にあっても、低周波治療指示が働くと、低周波治療待機状態に切り替わる。
【００１０】
請求項３記載の発明によれば、低周波治療が電位治療より優先させておくように設定されているので、前記電位治療部が電位治療状態にあっても、低周波治療指示が働くと、低周波治療待機状態に切り替わることにより、直ちに低周波治療が行える。
【００１１】
【発明の実施の形態】
以下、この発明の好適な実施形態を図面に基づいて説明する。
【００１２】
図１〜図６は、この発明の一実施形態を示す図である。図１の符号２は、電気治療器１の治療器本体を示しており、該治療器本体２の上部にコントロールユニット３が着脱自在に配されてなると共に前記治療器本体２の下部に治療部４が配されている。
【００１３】
前記治療器本体２は、図１に示すように、前記コントロールユニット３を挿入している時には、該コントロールユニット３を確実に保持することが可能で、離脱させることも可能なる凹部２１と、該凹部２１の左側に配されている電源スイッチ２２と、治療者の肩などの所定の面に粘着可能なるパッド導子４４、４４の図示しないパッドプラグが挿脱可能なるパッド導子ジャック２３、２３と、治療者の肩などの局所に当てる局所導子４５の図示しない局所プラグが挿脱可能なる局所導子ジャック２４と、前記凹部２１の下側に配されてなる収納ケース２５と、該収納ケース２５の下側に配されてなると共に前記治療部４の電位治療部４２側を上に向けて収納すること及び治療者の足を挿入することがそれぞれ可能なる開口２６と、ＡＣ１００ボルト用の電源コード２７と、制御手段２８とより構成されてなる。
【００１４】
符号４６は、治療部４の開閉を検出する足用導子開閉検出センサで、前記開口２６の底部２６ａに配されていて、前記治療部４に内蔵したマグネット４６ａが近接すると、オンになる。即ち、図２に示すように、治療部４が開いているとき、即ち低周波治療部４３が上を向いている状態では、マグネット４６ａと足用導子開閉検出センサ４６とが離れているので、該足用導子開閉検出センサ４６はオフ状態で、低周波治療中であることを意味する。また、図１に示すように、治療部４が閉じているとき、即ち電位治療部４２が上を向いている状態では、マグネット４６ａと足用導子開閉検出センサ４６とが近接しているので、該足用導子開閉検出センサ４６はオン状態で、電位治療中であることを意味する。尚、治療中に治療部４を開閉すると、すべての出力を停止する。
【００１５】
符号６４は、電位電圧出力切換手段、符号６５は、制御回路部、符号６６は、電源部、符号６７は、出力切換部、符号６８及び符号６９は、低周波出力回路である。そして、符号７０は、プラグが差し込まれていることを検出するプラグ差し込み検出回路で、プラグが差し込まれている時には電位治療が行えないように制御している。
【００１６】
前記コントロールユニット３は、合成樹脂製のユニット本体３１と、該ユニット本体３１の表面側に配されてなる操作表示パネル３２と、前記ユニット本体３１を電気的に接続してなる接続コード３３と、前記ユニット本体３１の裏面に形成されてなるハンドル３４とより構成されてなる。符号３９は、コントロールユニット３の制御回路部である。
【００１７】
前記操作表示パネル３２には、治療選択ボタン３５と、強さ調整ボタン３６と、テンポ調整ボタン３７と、前記電位治療部４２以外の前記治療器本体２に配され且つ身体の一部を接触させていることを検知可能なる検出手段３８とより構成されてなる。
【００１８】
前記治療選択ボタン３５は、導子治療、電位治療の各治療モードを選択するもので、図示しないパッド導子を用いた低周波治療の時には、肩コース、腰コースの区別及びたたき、もみ、指圧の区別を選択できる。また、図示しない局所ペンを用いた低周波治療の時には、局所導子の高低の選択が出来る。また、治療部４の電位治療部４２を用いた足の電位治療の時には、スタート、ストップの合図を送信できる。また、治療部４の低周波治療部４３を用いた足の低周波治療の時には、足裏コース、足たたきコース、足もみコースの何れかが選択できる。
【００１９】
前記強さ調整ボタン３６は、治療開始時に急激な刺激を施療者に与えないように調整が可能なるよう左端の「スタート位置」を明示してあり、時計回りに回すことによって、刺激が強くなるように調整されている。
【００２０】
前記治療部４は、シェル状に形成された合成樹脂製のハウジング４ａの一方側の面に、前記電位治療部４２が配され、他方側の面に、低周波治療部４３の低周波治療用電極４３ａ，４３ｂが配されている。前記ハウジング４ａは、前記治療器本体２の開口２６に、軸２９により折り畳み自在に配されている。また、前記電位治療部４２には、治療者の足の裏にフィットするソフトレザー素材による表皮４２ａを使用している。
【００２１】
前記電源スイッチ２２をオンにした状態で、前記電位治療部４２に、治療者の身体の一部である、例えば足を乗せると、該電位治療部４２に接触させていることにより、治療者の身体に１５００ボルトの電位が印加されるので、この状態で、前記検出手段３８に治療者の身体の別の一部である、例えば指を触れると、治療者との電位差を検出することができる電位差検出手段６２と、該電位差検出手段６２が電位差を検出した時に治療者に報知可能なる報知手段３０とより制御手段２８がなる。
【００２２】
以上のように構成されているので、一体のハウジング４ａの裏表に電位治療部４２及び低周波治療部４３（低周波治療用電極４３ａ，４３ｂ）を配したので、コードはほとんど無い状態になり、治療部４周りの整理整頓ができ、電圧降下が無く、様々な劣化が生じないことになる。
【００２３】
また、前記電位治療部４２及び低周波治療部４３（低周波治療用電極４３ａ，４３ｂ）との何れか一方を治療状態にすると、他方の治療状態を待機状態にさせるので、電位治療中に、誤って低周波治療のスイッチであるパッド導子４４、４４の図示しないパッドプラグがパッド導子ジャック２３、２３に挿入されたり、局所導子４５の図示しない局所プラグが局所導子ジャック２４に挿入されたりしても、電位治療状態は維持される。また、低周波治療中に、誤って電位治療のスイッチである治療選択ボタン３５をスタートさせても、低周波治療状態は維持される。このため、治療時における操作の誤りによる治療の急変化が生じないことになる。
【００２４】
また、前記電位治療を行う場合は、電位治療部２４の表皮４２ａの上に治療者の両足を乗せて、電源スイッチ２２をオンさせれば、治療者の身体に１５００ボルトの電位が印加されるので、この状態で、検出手段３８に身体の別の一部である、例えば手の指を接触させると、電位差検出手段６２がその電位差を検知して報知手段６３により電界が発生していることを報知できる。このことにより、治療者自らが電気治療器１が電界を発生していること、つまり治療者自らの電位を自覚できる。また、検出手段３８以外の部位の治療器本体２の何れに触れても電位を検出しないようにすることで、治療中に不用意に報知手段６３が報知しないようにしている。
【００２５】
この状態で、操作表示パネル３２の治療選択ボタン３５のスタートボタンを押すと、所定時間治療を行うことができる。
【００２６】
また、前記コントロールユニット３は、前記治療器本体２より取り外し可能なるので、電位治療時に、治療器本体２より取り外して、手前に移動させたコントロールユニット３に検出手段３８が設けられていることにより、電位治療の操作が容易に出来る。
【００２７】
この実施例は、電位治療部と低周波治療部との一方を選択すると、途中で他方を選択しても、待機されると説明したが、これに限らず、前記電位治療部が電位治療状態にあっても、低周波治療指示が働くと、低周波治療待機状態に切り替わるようにしても良い。かかる構成にすると、低周波治療が電位治療より優先させておくように設定されているので、前記電位治療部が電位治療状態にあっても、低周波治療指示が働くと、低周波治療待機状態に切り替わることにより、直ちに低周波治療が行えることになる。
【００２８】
【発明の効果】
請求項１記載の発明によれば、一体のハウジングの裏表に電位治療部及び低周波治療部を配したので、コードはほとんど無い状態になり、治療部周りの整理整頓ができ、電圧降下が無く、様々な劣化が生じないことになる。
【００２９】
請求項２記載の発明によれば、電位治療中に、誤って低周波治療のスイッチを稼働させても電位治療状態は維持される。また、低周波治療中に、誤って電位治療のスイッチを稼働させても低周波治療状態は維持される。このため、治療時における操作の誤りによる治療の急変化が生じないことになる。
【００３０】
請求項３記載の発明によれば、低周波治療が電位治療より優先させておくように設定されているので、前記電位治療部が電位治療状態にあっても、低周波治療指示が働くと、低周波治療待機状態に切り替わることにより、直ちに低周波治療が行える。
【図面の簡単な説明】
【図１】この発明の一実施形態に係る治療部の電位治療部側が向いた電気治療器を示す全体斜視図。
【図２】図１の治療部の低周波治療部側が向いた電気治療器の全体斜視図。
【図３】図２の電気治療器の正面図。
【図４】図１の電気治療器の背面図。
【図５】図１のＳＡ−ＳＡ線に沿った断面図。
【図６】この発明の一実施形態に係る回路図。
【符号の説明】
１   電気治療器
２  治療器本体
３  コントロールユニット
４  治療部
４ａ  ハウジング
２９  軸
４２  電位治療部
４３  低周波治療部
【図１】
0004403528.tif 000002
【図２】
0004403528.tif 000003
【図３】
0004403528.tif 000004
【図４】
0004403528.tif 000005
【図５】
0004403528.tif 000006
【図６】
0004403528.tif 000007